(57)【要約】【課題】スピーカの側面、背面及び上面からの音響の出力波と室内の壁からの反射波による定在波の発生を抑えて、スピーカの音質を簡易にかつ大幅に改善できるスピーカの設置方法及び設置装置を提供する。【解決手段】設置装置１０は、支持台１１と、支持台１１上にてスピーカの底板に合わせた長方形の四隅に設けた第１支持部材１２と３つの第２支持部材１３〜１５とを設けている。支持部材１３〜１５は、柱状で高さ調節が可能になっている。設置装置１０上に載置されたスピーカ１７の底面の四隅に高さを変えることによりスピーカ１７を傾斜させて、さらにスピーカ１７自体をわずかに回動させてその設置位置を室の床面１、背壁面２、側壁面３に対して傾斜させることによりスピーカ１７の配置状態を適正に調節することができる。【選択図】    図１
2007180823.tif 000002
【特許請求の範囲】
【請求項１】
直方体形状の一対のスピーカを、室内の一壁面と該一壁面を挟む両側壁面が交差する二隅にて該一壁面と該各側壁面と床面から離間させてそれぞれ設置するスピーカの設置方法であって、
該スピーカを、その背面が前記一壁面及び該スピーカの一側面が直近で対向する側壁面に向くように斜めに配置させ、該各スピーカの底面四隅の該一壁面及び側壁面が交わる境界に近い側の一隅の高さを他の三隅に対して最も低くなるようにすると共に、該スピーカの底面の前記最も低い一隅に対する対角位置の隅の高さを他の三隅に対して最も高くなるように底面を傾斜させるように調節することを特徴とするスピーカの設置方法。
【請求項２】
前記スピーカの底面と前記一側面とが交差する交線の延長方向を前記一壁面と側壁面と床面が交差する下交差点に向け、該スピーカの背面と前記一側面とが交差する交線の延長方向を前記一壁面と側壁面と天井面が交差する上交差点に向けるように調節することを特徴とする前記請求項１に記載のスピーカの設置方法。
【請求項３】
前記スピーカの上面と背面とが交差する交線の延長方向を反対側の隅の前記一壁面と他の側壁面と天井面が交差する反対側の上交差点に向けるように調節することを特徴とする前記請求項１又は２に記載のスピーカの設置方法。
【請求項４】
直方体形状のスピーカを載置する平坦な支持台と、該支持台の上面に載置されたスピーカの四隅における該上面からの高さを調節して該スピーカを傾斜状態にすることが可能な高さ調節手段とを設けてなるスピーカの設置装置であって、
室内の一壁面と該一壁面と交差する側壁面により形成される一隅にて前記支持台が床面上に置かれて、該支持台上に載置された前記スピーカを、該一壁面と該側壁面からそれぞれ離間した所定位置に設置し、
前記スピーカを、その背面が前記一壁面及び該スピーカの一側面が直近で対向する側壁面に向くように斜めに配置させ、
前記高さ調節手段により、前記スピーカの底面の前記一壁面及び側壁面が交わる境界に近い側の一隅の高さを他の三隅に対して最も低くなるようにすると共に、該スピーカの底面の前記最も低い一隅に対する対角位置の隅の高さを他の三隅に対して最も高くなるように底面を傾斜させるように調節できる
ことを特徴とするスピーカの設置装置。
【請求項５】
前記スピーカの底面と前記側壁面と対向する一側面とが交差する交線の延長方向を前記一壁面と側壁面と床面が交差する下交差点に向けさせ、該スピーカの背面と前記一側面とが交差する交線の延長方向を前記一壁面と側壁面と天井面が交差する上交差点に向けさせることが可能なことを特徴とする前記請求項４に記載のスピーカの設置装置。
【請求項６】
前記スピーカの上面と背面とが交差する交線の延長方向を、反対側の隅にて前記一壁面と他の側壁面と天井面が交差する反対側の上交差点に向けさせることが可能なことを特徴とする前記請求項４又は５に記載のスピーカの設置装置。
【請求項７】
天井面に取り付けられて垂下し、直方体形状のスピーカの上面に取り付けられて該スピーカを床面から離れた状態で支持する支持手段と、該支持手段に設けられて該スピーカの底面の４隅における床面からの高さを調節可能な高さ調節手段を備えてなるスピーカの設置装置であって、
前記スピーカを、室内の一壁面と該一壁面と交差する側壁面により形成される一隅にて該一壁面と側壁面からそれぞれ離間した所定位置に設置し、
前記スピーカを、その背面が前記一壁面及び該スピーカの一側面が直近で対向する側壁面に向くように斜めに配置させ、
前記高さ調節手段により、前記スピーカの底面の該一壁面及び側壁面の交線に近い側の一隅の高さを他の三隅に対して最も低くなるようにすると共に、該スピーカの底面の前記一隅に対する対角位置の隅の高さを他の三隅に対して最も高くなるように底面を傾斜させるように調節できる
ことを特徴とするスピーカの設置装置。
【請求項８】
前記スピーカの底面と前記一側面とが交差する交線の延長方向を前記一壁面と側壁面と床面が交差する下交差点に向けさせ、該スピーカの背面と前記一側面とが交差する交線の延長方向を前記一壁面と側壁面と天井面が交差する上交差点に向けさせることが可能であることを特徴とする前記請求項７に記載のスピーカの設置装置。
【請求項９】
前記スピーカの背面及び前記側壁面と対向する一側面の前記一壁面及び側壁面に対する角度の調節を、前記支持手段に設けた回転調節手段により行うことを特徴とする前記請求項７又は８に記載のスピーカの設置装置。
【請求項１０】
前記スピーカの上面と背面とが交差する交線の延長方向を、反対側の隅にて前記一壁面と側壁面と天井面が交差する反対側の上交差点に向けさせることが可能なことを特徴とする前記請求項７から９のいずれか１項に記載のスピーカの設置装置。
【発明の詳細な説明】
【技術分野】
【０００１】
本発明は、オーディオ用等のスピーカを室内の隅に適正な状態で設置するためのスピーカの設置方法及び設置に使用する設置装置に関する。
【背景技術】
【０００２】
従来、オーディオ用のスピーカを室内の隅に設置する方法としては、背面壁及び側壁面に対してスピーカの背面及び側面を平行になるように配置させるのが一般的であった。しかし、従来のスピーカの配置によれば、スピーカの側面、背面及び上面からの音響の出力波が室内の側壁面、背面壁及び天井壁に反射して、この出力波と反射波とが混じり合うことにより定在波が発生し、定在波がスピーカの音質を著しく低下させるという問題がある。これに対して、スピーカの向きを変えたり、壁面の形状を凹凸形状に変えたりする方法が行われているが、いずれも定在波を減少させる効果は少なく、音質が著しく改善されるに至ってはいない。また、音質を高めることが目的で家屋の壁面形状を変えることは、一般住宅等においては非常に困難なことである。このような定在波による音質の低下の問題については、スピーカの性能に関係なく発生するものなのであるが、従来はこのような問題については注目されていなかった。
【０００３】
ところで、一点に収束する錐状の空間、例えば床面と背面壁と側壁面とが重なった隅の空間に音波が入射した場合には、この空間内では定在波が発生しないことが、音響学上で知られている。本件発明者は、このような音波の性質に着目して、オーディオ用等のスピーカの音質を改善するために本発明を想到したのである。
【発明の開示】
【発明が解決しようとする課題】
【０００４】
本発明は、上記問題を解決しようとするもので、スピーカの側面、背面及び上面からの音響の出力波と室内の壁からの反射波による定在波の発生を抑えて、スピーカの音質を簡易にかつ安価に改善できるスピーカの設置方法及び設置装置を提供することを目的とする。
【課題を解決するための手段】
【０００５】
上記目的を達成するために、本発明の第１の特徴は、直方体形状の一対のスピーカを、室内の一壁面と一壁面を挟む両側壁面が交差する二隅にて一壁面と各側壁面と床面から離間させてそれぞれ設置するスピーカの設置方法であって、スピーカを、その背面が一壁面及びスピーカの一側面が直近で対向する側壁面に向くように斜めに配置させ、各スピーカの底面四隅の一壁面及び側壁面が交わる境界に近い側の一隅の高さを他の三隅に対して最も低くなるようにすると共に、スピーカの底面の最も低い一隅に対する対角位置の隅の高さを他の三隅に対して最も高くなるように底面を傾斜させるように調節することにある。なお、スピーカを、その背面が一壁面及びスピーカの一側面が対向する側壁面に向くように斜めに配置させることと、スピーカの底面の一壁面及び側壁面の交線に近い側の一隅の高さを他の三隅に対して最も低くなるようにし、スピーカの底面の最も低い一隅に対する対角位置の隅の高さを他の三隅に対して最も高くなるように底面を傾斜させことは、どちらを先に行ってもよく、両者を同時に行ってもよい。
【０００６】
上記のように構成した本発明の第１の特徴においては、スピーカを三次元に傾斜させることにより、スピーカの背面が、一壁面と側壁面と床面との三面方向に向けられると共に、スピーカの上面が一壁面と側壁面と天井面との三面方向に向けられる。そのため、スピーカの背面から出力された音響の出力波は、コーン構造を形成する一壁面と側壁面と床面との三面方向に向けられるため、このコーン構造内において定在波の発生が抑えられる。さらに、スピーカの上面から出力された出力波は、コーン構造を形成する一壁面と側壁面と天井面との三面方向に向けられるため、このコーン構造内において定在波の発生が抑えられる。また、傾斜した状態のスピーカの一側面から出力された音響の出力波は、側壁面で反射した反射波とにより定在波を発生させない。
【０００７】
その結果、第１の特徴においては、スピーカからの音響の出力波が原因となる音質を低下させる要因である定在波の発生が抑えられるので、従来に比べてオーディオ用等のスピーカの音質を著しく改善することができる。また、第１の特徴によれば、簡単な方法でしかもスピーカの性能や室内の構造に関係なく音質を著しく改善できるので、スピーカの使用者にとって、普通の部屋内で安価に良好な音質の音響を楽しむことができる。
【０００８】
また、第１の特徴において、スピーカの底面と一側面とが交差する交線の延長方向を一壁面と側壁面と床面が交差する下交差点に向け、スピーカの背面と一側面とが交差する交線の延長方向を一壁面と側壁面と天井面が交差する上交差点に向けるように調節することができる。これにより、スピーカの背面から出力された音響の出力波は、コーン構造を形成する一壁面と側壁面と床面が交差する下交差点方向に向けられるため、このコーン構造内において定在波の発生が一層効果的に抑えられる。さらに、スピーカの上面から出力された出力波は、コーン構造を形成する一壁面と側壁面と天井面が交差する上交差点方向に向けられるため、このコーン構造内において定在波の発生が一層効果的に抑えられる。その結果、音質を低下させる要因である定在波の発生が非常に効率よく抑えられるので、従来に比べてオーディオ用等のスピーカの音質を画期的に改善することができる。
【０００９】
また、第１の特徴において、スピーカの上面と背面とが交差する交線の延長方向を、反対側の隅の一壁面と側面と天井面が交差する反対側の上交差点に向けるように調節することができる。これにより、スピーカの反対側面からの音響の出力波が、反対側の隅の一壁面と側面と天井面で構成するコーン構造内に入射することにより、コーン構造内で音質を低下させる要因である定在波の発生が一層効果的に抑えられるので、オーディオ用スピーカの音質を改善する効果がさらに高められる。
【００１０】
また、本発明の第２の特徴は、直方体形状のスピーカを載置する平坦な支持台と、支持台の上面に載置されたスピーカの四隅における上面からの高さを調節してスピーカを傾斜状態にすることが可能な高さ調節手段とを設けてなるスピーカの設置装置であって、室内の一壁面と一壁面と交差する側壁面により形成される一隅にて支持台が床面上に置かれて、支持台上に載置されたスピーカを、一壁面と側壁面からそれぞれ離間した所定位置に設置し、スピーカを、その背面が一壁面及びスピーカの一側面が直近で対向する側壁面に向くように斜めに配置させ、高さ調節手段により、スピーカの底面の一壁面及び側壁面が交わる境界に近い側の一隅の高さを他の三隅に対して最も低くなるようにすると共に、スピーカの底面の最も低い一隅に対する対角位置の隅の高さを他の三隅に対して最も高くなるように底面を傾斜させるように調節できることにある。
【００１１】
上記のように構成した第２の特徴においては、スピーカの一壁面及び側壁面に対する位置及び傾きの調節に加えて、設置装置によって、スピーカの高さと床面に対する傾斜の調節を行うことにより、スピーカの背面を、一壁面と側壁面と床面との三面方向に向けさせると共に、スピーカの上面を一壁面と側壁面と天井面との三面方向に向けさせることができる。そのため、スピーカの背面から出力された音響の出力波は、コーン構造を形成する一壁面と側壁面と床面との三面方向に向けられるため、このコーン構造内において定在波の発生が抑えられる。さらに、スピーカの上面から出力された出力波は、コーン構造を形成する一壁面と側壁面と天井面との三面方向に向けられるため、このコーン構造内において定在波の発生が抑えられる。また、傾斜した状態のスピーカの一側面から出力された音響の出力波は、側壁面で反射した反射波とにより定在波を発生させない。
【００１２】
その結果、第２の特徴においては、スピーカからの音響の出力波が原因となる音質を低下させる要因である定在波の発生を抑えることができるので、従来に比べてオーディオ用等のスピーカの音質を著しく改善させることができる。また、第２の特徴によれば、簡易な構造の安価な設置装置を用いることにより、簡単な操作でしかもスピーカの性能や室内の構造に関係なく音質を著しく改善できるので、スピーカの使用者にとって、普通の部屋内で安価に良好な音質の音響を楽しむことができる。
【００１３】
また、第２の特徴において、スピーカの底面と側壁面と対向する一側面とが交差する交線の延長方向を一壁面と側壁面と床面が交差する下交差点に向けさせ、スピーカの背面と一側面とが交差する交線の延長方向を一壁面と側壁面と天井面が交差する上交差点に向けさせることができる。このように、スピーカの一壁面及び側壁面に対する位置及び傾きの調節、スピーカ底面の高さ調節と床面に対する傾斜の調節を適正に行うことにより、スピーカの底面と側壁面と対向する一側面とが交差する交線の延長方向を一壁面と側壁面と床面が交差する下交差点に向けさせ、スピーカの背面と側壁面と対向する一側面とが交差する交線の延長方向を一壁面と側壁面と天井面が交差する上交差点に向けさせることができる。それにより、本発明においては、スピーカの背面から出力された音響の出力波は、コーン構造を形成する一壁面と側壁面と床面が交差する下交差点に向けられるため、定在波の発生を一層効果的に抑えることができ、また、スピーカの上面から出力された出力波は、コーン構造を形成する一壁面と側壁面と天井面が交差する上交差点に向けられるため、定在波の発生を一層効果的に抑えることができる。その結果、本発明によれば、音質を低下させる要因である定在波の発生が非常に効率よく抑えられるので、従来に比べてオーディオ用等のスピーカの音質を画期的に改善することができる。
【００１４】
また、第２の特徴において、スピーカの上面と背面とが交差する交線の延長方向を、反対側の隅にて一壁面と他の側壁面と天井面が交差する反対側の上交差点に向けさせることが可能になる。これにより、スピーカの側面からの音波が、反対側の隅の一壁面と側面と天井面で構成するコーン構造内に入射することにより、コーン構造内で音質を低下させる要因となる定在波の発生が抑えられるので、スピーカの音質を改善する効果がさらに高められる。
【００１５】
また、本発明の第３の特徴は、天井面に取り付けられて垂下し、直方体形状のスピーカの上面に取り付けられてスピーカを床面から離れた状態で支持する支持手段と、支持手段に設けられてスピーカの底面の４隅における床面からの高さを調節可能な高さ調節手段を備えてなるスピーカの設置装置であって、スピーカを、室内の一壁面と一壁面と交差する側壁面により形成される一隅にて一壁面と側壁面からそれぞれ離間した所定位置に設置し、スピーカを、その背面が一壁面及びスピーカの一側面が直近で対向する側壁面に向くように斜めに配置させ、高さ調節手段により、スピーカの底面の一壁面及び側壁面の交線に近い側の一隅の高さを他の三隅に対して最も低くなるようにすると共に、スピーカの底面の一隅に対する対角位置の隅の高さを他の三隅に対して最も高くなるように底面を傾斜させるように調節できることにある。
【００１６】
上記のように構成した第３の特徴においては、天井板に取り付けられて垂下した支持手段により支持されたスピーカを、設置装置によって、スピーカの一壁面及び側壁面に対する位置及び傾きの調節、スピーカ底面の高さ調節と床面に対する傾斜の調節を行うことにより、スピーカの背面を、一壁面と側壁面と床面との三面方向に向けさせると共に、スピーカの上面を一壁面と側壁面と天井面との三面方向に向けさせることができる。そのため、スピーカの背面から出力された音響の出力波は、コーン構造を形成する一壁面と側壁面と床面との三面方向に向けられるため、このコーン構造内において定在波の発生が抑えられる。さらに、スピーカの上面から出力された出力波は、コーン構造を形成する一壁面と側壁面と天井面との三面方向に向けられるため、このコーン構造内において定在波の発生が抑えられる。また、スピーカの傾斜した両側面から出力された音波が壁面で反射した反射波とにより定在波を発生させない。
【００１７】
その結果、第３の特徴においては、スピーカからの音響の出力波が原因となる音質を低下させる要因である定在波の発生を抑えることができるので、オーディオ用等のスピーカの音質を著しく改善することができる。また、第３の特徴によれば、簡易な構造の設置装置により、簡単な操作でしかもスピーカの性能や室内の構造に関係なく音質を著しく改善できるので、スピーカの使用者にとって、普通の部屋内で安価に良好な音質の音響を楽しむことができる。
【００１８】
また、第３の特徴おいて、スピーカの底面と一側面とが交差する交線の延長方向を一壁面と側壁面と床面が交差する下交差点に向けさせ、スピーカの背面と一側面とが交差する交線の延長方向を一壁面と側壁面と天井面が交差する上交差点に向けさせることができる。このようにして、適正にスピーカの位置や傾斜の程度を調節することにより、スピーカの底面と側壁面と対向する側面とが交差する交線の延長方向を一隅の一壁面と側面と床面が交差する下交差点に向けさせ、スピーカの背面と側壁面と対向する側面とが交差する交線の延長方向を一隅の一壁面と側壁面と天井面が交差する上交差点に向けさせることができる。それにより、スピーカの背面から出力された音響の出力波は、コーン構造を形成する一壁面と側壁面と床面が交差する下交差点に向けられるため、定在波の発生を一層効果的に抑えることができ、さらに、スピーカの上面から出力された音波は、コーン構造を形成する一壁面と側壁面と天井面が交差する上交差点に向けられるため、定在波の発生が一層効果的に抑えられる。その結果、第３の特徴においては、スピーカからの音響の出力波が原因となる音質を低下させる要因である定在波の発生を一層効果的に抑えることができるので、従来に比べてオーディオ用等のスピーカの音質を画期的に改善することができる。
【００１９】
また、第３の特徴において、スピーカの背面及び側壁面と対向する一側面の一壁面及び側壁面に対する角度の調節を、支持手段に設けた回転調節手段により行うことができる。これにより、スピーカの背面及び側壁面と対向する一側面の一壁面及び側壁面に対する角度の調節が、簡易且つ適正に行われる。さらに、第３の特徴において、スピーカの上面と背面とが交差する交線の延長方向を、反対側の隅にて一壁面と側壁面と天井面が交差する反対側の上交差点に向けさせることも可能である。これにより、スピーカの側面からの音響の出力波が、反対側の隅の一壁面と側面と天井面で構成するコーン構造内に入射することにより、コーン構造内で音質を低下させる要因となる定在波の発生が抑えられるので、スピーカの音質を改善する効果がさらに高められる。
【発明の効果】
【００２０】
本発明によれば、スピーカを床面上方の適正位置にて適正に傾斜させて配置させることにより、スピーカの背面を一壁面と側壁面と床面との三面方向に向けさせると共に、スピーカの上面を一壁面と側壁面と天井面との三面方向に向けさせることができ、そのため、スピーカの背面から出力された音響の出力波は、コーン構造を形成する一壁面と側壁面と床面との三面方向に向けられ、スピーカの上面から出力された出力波は、コーン構造を形成する一壁面と側壁面と天井面との三面方向に向けられるため、それぞれのコーン構造内において定在波の発生が抑えられる。特に、スピーカの底面と側壁面と対向する側面とが交差する交線の延長方向を一隅の一壁面と側面と床面が交差する下交差点に向けさせ、スピーカの背面と側壁面と対向する側面とが交差する交線の延長方向を一隅の一壁面と側面と天井面が交差する上交差点に向けさせることにより、スピーカの背面及び上面から出力された音波に基づく定在波の発生を一層効果的に抑えることができる。その結果、本発明によれば、簡易な方法によりオーディオ用等のスピーカの音質を従来に比べて画期的に改善することができ、スピーカの使用者にとって、普通の部屋内で安価に良好な音質の音響を楽しむことができる効果が得られる。
【発明を実施するための最良の形態】
【００２１】
以下、本発明の一実施例について図面を用いて説明する。図１〜図４は、実施例１であるスピーカの設置方法を正面図、側面面、平面図及び背面図により概略的に示したものである。図５〜図７は、スピーカの設置装置を正面図、平面図及び底面図により概略的に示したものである。実施例１では、室内の右隅に設置されたスピーカについて説明するが、左隅に設置されるスピーカについても同様である。
【００２２】
設置装置１０は、木製、金属製等の長方形の厚板である支持台１１と、支持台１１上にてスピーカ１７の底板に合わせた長方形の四隅の対称位置から回転方向にわずかにずれた４箇所に設けた高さ調節手段である第１支持部材１２と３つの第２支持部材１３〜１５とを設けている。第１支持部材１２と３つの第２支持部材１３〜１５の支持台１１への取付位置については、図５に示すように、支持台１１上に載置するスピーカ１７を示す一点鎖線で囲まれた長方形の大まかな配置位置に合わせて、長方形の支持台１１に対して所定の鋭角で回転した位置に合わせて設けられている。第１支持部材１２は、直角より大きく開いたくの字状の厚板である垂直片であり、支持台１１上面に中心方向に開いた状態で垂直に固定されており、スピーカ１７の一隅が係合して外方への移動を阻止するような係合構造になっている。第２支持部材１３〜１５は、柱状で高さ調節が可能な部材であり、支持台１１に固定される中心にねじ孔を設けた基部１３ａ〜１５ａと、基部１３ａ〜１５ａのねじ孔に螺着される頭部が半球状でねじ溝を有するボルト部１３ｂ〜１５ｂとを設けている。
【００２３】
設置装置１０の支持台１１が床面１上に載置され、支持台１１上にスピーカ１７がその背面側の一隅を第１支持部材１２に合わせて載置され、第１支持部材１２及び第２支持部材１３〜１５によって支持される。その際、スピーカ１７の背面１７ｃ及び右側面１７ｂが、室内の背壁面２及び右側壁面３に対してそれぞれ所定の距離で離間すると共に、背壁面２及び右側壁面３に対して所定角度で傾いた状態に配置される。この状態で、ボルト部１３ｂ〜１５ｂを調節して第２支持部材１３〜１５の高さを変えると共に、右側壁面３に対するスピーカ１７の右側面１７ｂの傾斜を調節することにより、スピーカ１７を所望の状態に傾けることができるのである。これにより、スピーカ１７の背面１７ｃが、背壁面２と右側壁面３と床面１との三面方向に向けられると共に、上面１７ｄが背壁面２と右側壁面３と天井面４との三面方向に向けられる。
【００２４】
実施例１においては、スピーカ１７の背面１７ｃ及び右側面１７ｂを、室内の背壁面２及び右側壁面３に対してそれぞれ所定の距離で離間させると共に、背壁面２及び右側壁面３に対して所定角度で傾斜した状態に配置させ、さらにスピーカ１７の底面１７ａの床面１に対する四隅に高さを変えて、スピーカ１７の高さを調節しつつ傾斜させることによりスピーカ１７の配置形状を三次元の適正な状態に配置させることができる。それにより、スピーカ１７の底面１７ａと右側面１７ｂとが交差する交線の延長方向が、右隅の背壁面２と右側壁面３と床面１が交差する下交差点Ｘ１に向けさせられ、またスピーカ１７の背面１７ｃと右側面１７ｂとが交差する交線の延長方向が、右隅の背壁面２と右側壁面３と天井面４が交差する上交差点Ｘ２に向けさせられる。そのため、スピーカ１７の背面１７ｃから出力された音響の出力波は、コーン構造を形成する背壁面２と右側壁面３と床面１が交差する下交差点Ｘ１に向けられるため、定在波の発生が非常に効果的に抑えられる。さらに、スピーカ１７の上面１７ｄから出力された音響の出力波は、コーン構造を形成する背壁面２と右側壁面３と天井面４が交差する上交差点Ｘ２に向けられるため、定在波の発生が非常に効果的に抑えられる。また、スピーカ１７の傾斜した右側面１７ｂから出力された出力波が右側壁面３で反射した反射波とにより定在波を発生させない。
【００２５】
その結果、実施例１においては、スピーカ１７からの音響の出力波によって、音質を低下させる要因となる定在波の発生が非常に効果的に抑えられるので、従来に比べてオーディオ用スピーカ１７の音質を画期的に改善することができる。また、実施例１によれば、第２支持部材１３〜１５の調節による簡単な操作でしかもスピーカ１７の性能や部屋の構造に関係なく音質を画期的に改善できるので、スピーカの使用者は、普通の部屋内で安価に良好な音質の音響を楽しむことができる。
【００２６】
なお、実施例１において、支持台１１の設置位置を調整し、上記スピーカ１７の高さ調節及びスピーカ１７右側面１７ｂの背壁面２及び側壁面３に対する角度の調節を行うことにより、図４に示すスピーカ１７の上面１７ｄと背面１７ｃとが交差する交線の延長方向を、反対側の隅にて上交差点（図示しない）に向けさせることができる。これにより、スピーカ１１の左側面１７ｅからの音波が、反対側の隅の背壁面と側壁面と天井面で構成するコーン構造内に入射することにより、コーン構造内で音質を低下させる要因となる定在波が発生しないので、スピーカの音質を改善する効果がさらに高められる。
【００２７】
なお、上記実施例１においては、設置装置１０の高さ調節等により、スピーカ１７の底面１７ａと右側面１７ｂとが交差する交線の延長方向が右隅の背壁面２と右側壁面３と床面１が交差する下交差点Ｘ１に向けられ、スピーカ１７の背面１７ｃと右側面１７ｂとが交差する交線の延長方向が右隅の背壁面２と右側壁面３と天井面４が交差する上交差点Ｘ２に向けられることにより、スピーカの音質の画期的な改善が達成されているが、必ずしも下及び上の交差点Ｘ１，Ｘ２を通過させなくてもよい。
【００２８】
例えば、スピーカ１７の底面１７ａと右側面１７ｂとが交差する交線の延長方向を右隅の背壁面２と右側壁面３と床面１が交差する下交差点Ｘ１に向けさせるのみでもよく、またスピーカ１７の背面１７ｃと右側面１７ｂとが交差する交線の延長方向を右隅の背壁面２と右側壁面３と天井面４が交差する上交差点Ｘ２に向けさせるのみでもよい。さらには、いずれも下及び上の交差点Ｘ１，Ｘ２を通過させなくてもよい。すなわち、スピーカ１７の背面１７ｃが、背壁面２と右側壁面３と床面１との三面方向に向けられ、スピーカ１７の上面１７ｄが、背壁面２と右側壁面３と天井面４との三面方向に向けられていればよい。これにより、スピーカ１７の背面１７ｃから出力された音響の出力波は、コーン構造を形成する背壁面２と右側壁面３と床面１の三面方向に向けられ、スピーカ１７の上面１７ｄから出力された出力波は、コーン構造を形成する背壁面２と右側壁面３と天井面４の三面方向に向けられるため、それぞれのコーン構造内において定在波の発生が抑えられる。そのため、スピーカ１７の傾斜の程度に応じて、従来の設置形態に比べて音質の著しい改善が達成される。
【００２９】
また、スピーカ１７の背面１７ｃを、背壁面２，右側壁面３，床面１のいずれか二面方向に向け、上面１７ｄを、背壁面２，右側壁面３，天井面４のいずれか二面方向に向けるようにすることもできる。これにより、スピーカ１７の背面１７ｃ，上面１７ｄから出力された音響の出力波についても、従来に比べて定在波の発生が抑えられ、それに応じて音質の改善が達成される。なお、上記実施例１において、設置装置１０の高さ調節については、第２支持部材１３〜１５の高さ調節により行う構成となっているが、これに限らず、公知の種々の調節機構を用いることができ、また単に小片を積み上げて調節する方法も可能である。また、基板の形状についても長方形に限らない。
【００３０】
次に、実施例２について説明する。
実施例２においては、スピーカ１７の支持手段である設置装置２０は、図８に示すように、スピーカ１７を天井面４から吊るして高さを調節する構成となっている。設置装置２０は、スピーカ１７の上面１７ｄに両面テープ等の固定手段により取り付けられる上面１７ｄとほぼ同じ面積に長方形の調整板部２１と、調整板部２１と同一形状で調整板部２１に対向して配置され４本の調節棒２２で連結された支持板部２３と、支持板部２３の中央に連結部２４を介して垂直に立設された長尺の支持棒２５と、支持棒２５の先端に取り付けられて、支持棒２５を天井面４に固定するための固定板２６を設けている。
【００３１】
調節棒２２は、ねじ溝が形成されており、調整板部２１の表面の４箇所に回動可能に立設されている。支持板部２３には、調整板部２１に立設された調整棒２２と対向する４箇所にそれぞれ貫通孔(図示しない)を設けており、調整棒２２をこの貫通孔に挿通させることにより、支持板部２３が調整板部２１に重ね合わされ、支持板部２３から突出した調整棒２２の上端側に調整棒２２と共に高さ調節手段を構成するナット２２ａが螺合されて、支持板部２３と調整板部２１とが連結されている。４本の調節棒２２のナット２２ａの位置を適宜調節することにより、調節板部２１と支持板部２３との間の寸法を調節することができ、水平な支持板部２３に対して、調整板部２１の傾斜を三次元で変更させることができる。さらに、連結部２４は、支持棒２５に対して支持板部２３の回転方向の位置を調節可能にしており、支持棒２５は連結部２４によって支持板部２３を回動可能に支持している。
【００３２】
上記実施例２においては、設定装置２０は、室内の右隅にて固定板２６を天井面４の所定位置に固定することにより天井面４から吊るされて、調整板部２１に固定されたスピーカ１７の底面が床面２からわずかに離れた状態で支持され、背壁面２と右側壁面３からそれぞれ離間した所定位置に設置される。その後、４本の調節棒２２のナット２２ａの位置を適宜調節することにより、調節板部２１と支持板部２３との間の寸法を調節し、さらに、連結部２４により支持棒２５に対する支持板部２３の回転方向の位置を調節してスピーカ１７の背面１７ｃ及び右側面１７ｂを背壁面２と右側壁面３に対して所定角度で傾斜させることにより、調整板部２１に取り付けられたスピーカ１７の傾斜を三次元で適正に調節することができる。これにより、スピーカ１７の底面１７ａと右側面１７ｂとが交差する交線の延長方向が右隅の背壁面２と右側壁面３と床面１が交差する下交差点Ｘ１に向けられ、スピーカ１７の背面１７ｃと右側面１７ｂとが交差する交線の延長方向が右隅の背壁面２と右側壁面３と天井面４が交差する上交差点Ｘ２に向けられるようにされる。
【００３３】
そのため、スピーカ１７の背面１７ｃから出力された音波は、コーン構造を形成する背壁面２と右側壁面３と床面１が交差する下交差点Ｘ１に向けられるため、定在波の発生が非常に効果的に抑えられる。さらに、スピーカ１７の上面１７ｄから出力された音響の出力波は、コーン構造を形成する背壁面２と右側壁面３と天井面４が交差する上交差点Ｘ２に向けられるため、定在波の発生が非常に効果的に抑えられる。また、スピーカ１７の傾斜した右側面１７ｂから出力された音響の出力波が右側壁面３で反射した反射波とにより定在波を発生させない。その結果、実施例２においても実施例１と同様に、スピーカ１７からの音響の出力波によって、音質を低下させる要因となる定在波の発生が非常に効果的に抑えられるので、従来に比べてオーディオ用スピーカ１７の音質を画期的に改善することができる。また、実施例２によれば、簡単な操作でしかもスピーカ１７の性能や部屋の構造に関係なく音質を著しく改善できるので、スピーカの使用者とって、普通の部屋内で安価に良好な音質の音響を楽しむことができる、という効果が得られる。
【００３４】
なお、上記実施例２においても、実施例１と同様、設置装置２０の高さ調節等により、スピーカ１７の底面１７ａと右側面１７ｂとが交差する交線の延長方向が右隅の背壁面２と右側壁面３と床面１が交差する下交差点Ｘ１に向けられ、スピーカ１７の背面１７ｃと右側面１７ｂとが交差する交線の延長方向が右隅の背壁面２と右側壁面３と天井面４が交差する上交差点Ｘ２に向けられることにより、スピーカの音質の画期的な改善が達成されているが、必ずしも下及び上の交差点Ｘ１，Ｘ２を通過させなく、いずれか一方を通過させるのみでもよい。さらには、いずれも下及び上の交差点Ｘ１，Ｘ２を通過させなくてもよい。すなわち、スピーカ１７の背面１７ｃが、背壁面２と右側壁面３と床面１との三面方向に向けられ、スピーカ１７の上面１７ｄが、背壁面２と右側壁面３と天井面４との三面方向に向けられていればよい。これによっても、スピーカ１７の傾斜の程度に応じて、従来の設置形態に比べて音質の著しい改善が達成される。また、スピーカ１７の背面１７ｃを、背壁面２，右側壁面３，床面１のいずれか二面方向に向け、上面１７ｄを、背壁面２，右側壁面３，天井面４のいずれか二面方向に向けるようにすることもできる。これにより、スピーカ１７の背面１７ｃ，上面１７ｄから出力された音響の出力波についても、従来に比べて定在波の発生が抑えられ、それに応じて音質の改善が達成される。
【００３５】
なお、上記実施例２において、設置装置２０の高さ調節については、４本の調節棒２２のナット２２ａの位置を適宜調節し、連結部２４により支持棒２５に対する支持板部２３の回転方向の位置を調節することにより行われているが、これに限らず、公知の種々の調節機構を用いることが可能である。また、基板の形状についても長方形に限らない。その他、上記実施例１，２に示したスピーカの設置装置については一例であり、本発明の趣旨を逸脱しない範囲において種々変更して実施することができる。
【産業上の利用可能性】
【００３６】
本発明は、スピーカを床面上方の適正位置にて適正に傾斜させて、スピーカの底面と側壁面と対向する側面とが交差する交線の延長方向を一隅の一壁面と側面と床面が交差する下交差点に向けさせ、スピーカの背面と側壁面と対向する側面とが交差する交線の延長方向を一隅の一壁面と側面と天井面が交差する上交差点に向けさせるようにスピーカを配置させることにより、スピーカの背面及び上面から出力された音波に基づく定在波の発生を抑えることができるため、簡易な構成によりスピーカの音質を著しく改善することができ、スピーカの使用者が普通の部屋内で安価に良好な音質の音響を楽しむことができるので、有用である。
【図面の簡単な説明】
【００３７】
【図１】本発明の実施例１であるスピーカの床面への設置状態（高さ調節部分を除く）を概略的に示す正面図である。
【図２】同スピーカの設置状態（高さ調節部分を除く）を示す右側面図である。
【図３】同スピーカの設置状態（高さ調節部分を除く）を示す平面図である。
【図４】同スピーカの設置状態（高さ調節部分を除く）を示す背面図である。
【図５】同スピーカの設置装置を示す平面図である。
【図６】同スピーカの設置装置を示す正面図である。
【図７】同スピーカの設置装置を示す右側面図である。
【図８】実施例２であるスピーカの設置状態を概略的に示す正面図である。
【図９】同スピーカの設置装置を示す平面図である。
【図１０】同スピーカの設置装置を示す正面図である。
【符号の説明】
【００３８】
１…床面、２…背壁面、３…右側壁面、４…天井面、１０…設置装置、１１…支持台、１２…第１支持部材、１３〜１５…第２支持部材、１７…スピーカ、１７ａ…底面、１７ｂ…右側面、１７ｃ…背面、１７ｄ…上面、２０…設置装置、２１…調整板部、２２…調整棒、２３…支持板部、２４…連結部、２５…支持棒、２６…固定板。
【図１】
2007180823.tif 000003
【図２】
2007180823.tif 000004
【図３】
2007180823.tif 000005
【図４】
2007180823.tif 000006
【図５】
2007180823.tif 000007
【図６】
2007180823.tif 000008
【図７】
2007180823.tif 000009
【図８】
2007180823.tif 000010
【図９】
2007180823.tif 000011
【図１０】
2007180823.tif 000012